(57)【要約】【課題】エアフィルタの清掃を自動的に行うようにした空気調和機の清掃機構制御方法において、着脱可能なエアフィルタを用いた場合、エアフィルタ装着不備の対処手段を備えておく必要性がある。【解決手段】清掃機構がエアフィルタの通風路上にある場合に、エアフィルタの左右いずれか選択して通風路外に駆動させるための信号を発生する左右ノズルリセット発信手段と、前記左右ノズルリセット発信手段からの信号を読取り出力する左右ノズルリセット読取出力手段を設け、前記左右ノズルリセット読取出力手段からの出力により前記清掃機構を駆動させるため、エアフィルタの装着不備時などの不具合に応じた対処ができるようになり、ユーザの利便性が高まる。【選択図】図４
2007101103.tif 000002
【特許請求の範囲】
【請求項１】
空気中の塵埃を捕集する着脱可能なエアフィルタと、前記エアフィルタに沿って駆動可能な清掃機構と、送風機構と、吸引ノズルと、前記吸引ノズルに連通された吸引装置と、排気ダクトを具備した空気調和機において、前記清掃機構が前記エアフィルタの通風路上にある場合に前記清掃機構を前記エアフィルタの左右いずれかの通風路外に駆動させるための信号を発生する左右ノズルリセット発信手段と、前記左右ノズルリセット発信手段からの信号を読取り出力する左右ノズルリセット読取出力手段を設け、前記左右ノズルリセット読取出力手段からの出力により前記清掃機構を左右いずれかに駆動させることを特徴とする空気調和機。
【請求項２】
清掃機構を具備した空気調和機において、前記清掃機構を前記エアフィルタの通風路外に駆動させるための信号を発生するノズルリセット発信手段と、前記ノズルリセット発信手段からの信号を読取り出力するノズルリセット読取出力手段と、前記清掃機構が停止する前までの方向を記憶するノズル駆動方向判別手段を設け、前記ノズル駆動方向判別手段からの出力により前記清掃機構を動かす方向を自動で判別し駆動させることを特徴とする空気調和機。
【発明の詳細な説明】
【技術分野】
【０００１】
本発明は、エアフィルタの清掃を自動的に行うようにした清掃機構制御方法を搭載した空気調和機に関するものである。
【背景技術】
【０００２】
現在、空気調和機の省エネ推進の高まりから、エアフィルタの清掃を自動的に行うようにした空気調和機が広く普及してきた。
【０００３】
様々な自動清掃機構が考えられている中で、実用性の面からエアフィルタの着脱を可能にした機構が主流となっており、その清掃機構では、日常はエアフィルタの自動清掃を行い、長期的に蓄積するような油成分等の汚れは、エアフィルタを外して直接に洗浄する構成を取っている。
【０００４】
そしてその構成を採った場合、エアフィルタの着脱に際して人的影響が含まれるようになるため、エアフィルタの施工を容易にする工夫や、施工不具合時の対処手段を備えておく必要性が出てきた。
【０００５】
着脱可能なエアフィルタを備えた清掃機構制御方法として、特願２００４−３２３３７２号の様に、清掃機構部がエアフィルタの着脱をやりづらくする位置にある場合に、清掃機構部をエアフィルタの通風路外に駆動させ、フィルタの施工を容易にするような工夫を施した制御方法が考えられている。
【発明の開示】
【発明が解決しようとする課題】
【０００６】
しかしながら、前記従来の制御手法を用いた空気調和機において、エアフィルタの施工に不具合があった場合、例えばエアフィルタの装着が不充分でノズル通路にはみ出したままの状態で通常通りの自動清掃を行った場合には、清掃部がフィルタに引っかかり自動清掃が停止する。そして清掃機構部を通風路外へ駆動してエアフィルタを装着し直そうとする訳だが、従来制御では清掃機構の駆動方向に対する配慮が無く、清掃機構の位置と装着不備なエアフィルタの位置によっては、清掃機構駆動時に更にエアフィルタに噛み込んでしまうという課題が生じていた。
【課題を解決するための手段】
【０００７】
前記従来の課題を解決するために、本発明の空気調和機の清掃機構制御方法は、空気中の塵埃を捕集する着脱可能なエアフィルタと、前記エアフィルタの風上側に、前記エアフィルタに沿って駆動可能な清掃機構と、送風機構と、吸引ノズルと前記吸引ノズルに連通された吸引装置と、排気ダクトを具備した空気調和機において、前記清掃機構が前記エアフィルタの通風路上にある場合に、前記清掃機構を前記エアフィルタの左右いずれかの通風路外に駆動させるための信号を発生する左右ノズルリセット発信手段と、前記左右ノズルリセット発信手段からの信号を読取り出力する左右ノズルリセット読取出力手段を設け、前記左右ノズルリセット読取出力手段からの出力により前記清掃機構を左右いずれかに駆動させることを特徴としたものである。
【０００８】
上記手段を用いることにより、不具合が生じたときに清掃機構の駆動方向を選ぶことができる。
【０００９】
さらに本発明の空気調和機の清掃機構制御方法は、前記清掃機構を前記エアフィルタの通風路外に駆動させるための信号を発生するノズルリセット発信手段と、前記ノズルリセット発信手段からの信号を読取り出力するノズルリセット読取出力手段と前記清掃機構が停止する前までの方向を記憶するノズル駆動方向判別手段を設け、前記ノズル駆動方向判別手段からの出力により前記清掃機構を動かす方向を自動で判別し駆動させることを特徴としたものである。
【００１０】
上記手段を用いることにより、清掃機構の駆動方向を自動で選択して、清掃機構をエアフィルタの通風路外へ駆動できる。
【発明の効果】
【００１１】
本発明の空気調和機の清掃機構制御方法は、エアフィルタの装着不備時に、状況に応じて清掃機構部の駆動方向を選択して駆動する方法であるため、不具合に応じた対処ができ、ユーザの利便性が高まる。
【発明を実施するための最良の形態】
【００１２】
第１の発明は、空気中の塵埃を捕集する着脱可能なエアフィルタと、前記エアフィルタの風上側に、前記エアフィルタに沿って駆動可能な清掃機構と、送風機構と、吸引ノズルと前記吸引ノズルに連通された吸引装置と、排気ダクトを具備した空気調和機において、前記清掃機構が前記エアフィルタの通風路上にある場合に、前記清掃機構を前記エアフィルタの左右いずれかを選択して通風路外に駆動させるための信号を発生する左右ノズルリセット発信手段と、前記左右ノズルリセット発信手段からの信号を読取り出力する左右ノズルリセット読取出力手段を設け、前記左右ノズルリセット読取出力手段からの出力により前記清掃機構を左右いずれかに駆動させるので、エアフィルタの装着に不具合が生じたときに清掃機構の駆動方向を選べ、不具合に応じた対処が出来る。
【００１３】
第２の発明は、前記清掃機構を前記エアフィルタの通風路外に駆動させるための信号を発生するノズルリセット発信手段と、前記ノズルリセット発信手段からの信号を読取り出力するノズルリセット読取出力手段と、前記清掃機構が停止する前までの方向を記憶するノズル駆動方向判別手段を設け、前記ノズル駆動方向判別手段からの出力により前記清掃機構を動かす方向を自動で判別し駆動させるので、エアフィルタの装着に不具合が生じたときに清掃機構の駆動方向を自動で選び、不具合に対処できる。
【００１４】
以下、本発明の実施の形態について、図面を参照しながら説明する。なお、この実施の形態によって本発明が限定されるものではない。
【００１５】
（実施の形態１）
図１は、本発明の清掃機構の概略図、図２は本発明第１の実施の形態における制御のブロック線図、図３は制御のフローチャートを示すものである。
図１において、着脱可能なエアフィルタ１１の清掃を自動的に行うように、清掃部分１３の両端は左右方向に移動が可能となるようなガイド部１２を有しているため、エアフィルタに沿って左右方向に移動ができる。
【００１６】
そして清掃部１３が吸引式のノズルの形体をとり、吸引ノズルには吸引ダクト１４と吸引装置１５、および排気ダクト１６が連通され、吸引ノズルから吸い込まれた埃は、排気ダクトから放出されるため、エアフィルタ近辺の埃が取り除かれるため清潔になる。
【００１７】
図２、図４において、清掃機構を左右いずれかに移動させたい場合、リモコン２２より左右いずれかを選択してリモコンを送信する。リモコンからは左右ノズルリセットの信号が発信され（ステップ４１）、マイコン２４により左右ノズルリセット信号が受信され（
ステップ４２、４４）、清掃機構２５が駆動し（ステップ４３、４５）、清掃機構を左右いずれかに動かしエアフィルタの通風路外へ移動させる。
【００１８】
以上のように、本実施の形態においては、左右別々のノズルリセット発信手段と、ノズルリセット発信手段からの信号により、前記清掃機構を左右どちらかに選んで駆動させるので、エアフィルタの装着に不具合が生じたとき、例えばエアフィルタの装着が不充分でノズル通路にはみ出した状態で清掃機構がエアフィルタに引っかかって停止した場合は、引っかかった側と反対方向へ清掃機構を移動すれば問題は解決されるので、不具合に応じた対処が可能となりユーザの利便性が高まる。
【００１９】
（実施の形態２）
図３、図５において、リモコン２２よりノズルリセットの信号が発信された（ステップ５１）場合、マイコン２４によりノズルリセットの信号が受信される（ステップ５２）。
【００２０】
マイコン２４上ではノズル駆動方向判別手段３３により清掃機構が停止する前までの駆動方向を記憶し、ノズルリセット信号を読み取った時点で前回の駆動方向を判別し（ステップ５３）、前回の駆動方向が左の場合は清掃機構２５を右に（ステップ５４）、右の場合は左に（ステップ５５）動かしエアフィルタの通風路外に移動させる。
【００２１】
以上のように、本実施の形態においては、ノズル駆動方向判別手段により清掃機構が停止する前までの駆動方向を記憶し、ノズルリセット信号を読み取った時点で前回の駆動方向を判別し、前回の駆動方向と逆の方向に清掃機構を駆動させるため、実施の形態１と同様に、エアフィルタの装着に不具合が生じたとき、例えばエアフィルタの装着が不充分でノズル通路にはみ出した状態で清掃機構がエアフィルタに引っかかって停止した場合は、引っかかった側と反対方向へ清掃機構を自動的に選択して移動させ不具合に応じた対処を行うため、ユーザの利便性が更に高まる。
【産業上の利用可能性】
【００２２】
以上のように、本発明に係る空気調和機は、エアフィルタの装着不備時に、状況に応じて清掃機構部の駆動方向を選択して駆動する方法であるため、不具合に応じた対処ができるので、空気清浄機能を有するフィルターを搭載したあらゆる機器に適用することができる。
【図面の簡単な説明】
【００２３】
【図１】本発明の清掃機構の概略図
【図２】本発明の実施の形態１における制御のブロック線図
【図３】本発明の実施の形態２における制御のブロック線図
【図４】本発明の実施の形態１における制御のフローチャート
【図５】本発明の実施の形態２における制御のフローチャート
【符号の説明】
【００２４】
１１  エアフィルタ
１２  清掃機構のガイド部
１３  吸引ノズル
１４  吸引ダクト
１５  吸引装置
１６  排気ダクト
２２  リモコン
２４  マイコン
【図１】
2007101103.tif 000003
【図２】
2007101103.tif 000004
【図３】
2007101103.tif 000005
【図４】
2007101103.tif 000006
【図５】
2007101103.tif 000007